(57)【特許請求の範囲】
【請求項１】
上部に開口部が形成され下部が底部で閉塞された胴部と、前記胴部の開口部を閉塞する態様で前記開口部に形成された蓋ボルト穴にボルトを締め付けて固定される蓋部と、を有する放射性物質収納容器について、前記胴部に放射性物質を収納する際に前記蓋ボルト穴の防水を行うための放射性物質収納容器の蓋ボルト穴プラグにおいて、
前記蓋ボルト穴内に挿入される挿入部と、
前記挿入部が前記蓋ボルト穴内に挿入される部分の外周部に沿って設けられたシール材と、
前記挿入部を前記蓋ボルト穴に挿入する際または前記挿入部を前記蓋ボルト穴から取り外す際に前記シール材を前記蓋ボルト穴の内径以下に縮径させる一方、前記挿入部を前記蓋ボルト穴内に挿入した状態で前記蓋ボルト穴の雌ネジ部に係わらずに前記シール材を拡径させ前記蓋ボルト穴の内面に押し付ける押付部と、
を備えることを特徴とする放射性物質収納容器の蓋ボルト穴プラグ。
【請求項２】
上部に開口部が形成され下部が底部で閉塞された胴部と、前記胴部の開口部を閉塞する態様で前記開口部に形成された蓋ボルト穴にボルトを締め付けて固定される蓋部と、を有する放射性物質収納容器について、前記胴部に放射性物質を収納する際に前記蓋ボルト穴の防水を行うための放射性物質収納容器の蓋ボルト穴プラグにおいて、
前記蓋ボルト穴内に挿入される挿入部と、
前記挿入部が前記蓋ボルト穴内に挿入される部分の外周部に沿って設けられたシール材と、
前記蓋ボルト穴の雌ネジ部に係わらずに前記シール材を前記蓋ボルト穴の内面に押し付ける押付部と、
を備え、
前記シール材は、円環状に形成されて２つを重ね合わせて配置され、相互の円環状の外縁が接触し円環状の中央に向けて漸次離れた形状とされて、重ね合わせた方向に押し潰されて拡径され円環状の外側が前記蓋ボルト穴の内面に押し付けられる一方、相互の弾性力により縮径可能に設けられていることを特徴とする放射性物質収納容器の蓋ボルト穴プラグ。
【請求項３】
上部に開口部が形成され下部が底部で閉塞された胴部と、前記胴部の開口部を閉塞する態様で前記開口部に形成された蓋ボルト穴にボルトを締め付けて固定される蓋部と、を有する放射性物質収納容器について、前記胴部に放射性物質を収納する際に前記蓋ボルト穴の防水を行うための放射性物質収納容器の蓋ボルト穴プラグにおいて、
前記蓋ボルト穴内に挿入される挿入部と、
前記挿入部が前記蓋ボルト穴内に挿入される部分の外周部に沿って設けられたシール材と、
前記蓋ボルト穴の雌ネジ部に係わらずに前記シール材を前記蓋ボルト穴の内面に押し付ける押付部と、
前記挿入部の挿入端に設けられた拭取部材と、
を備えることを特徴とする放射性物質収納容器の蓋ボルト穴プラグ。
【請求項４】
前記押付部は、
前記挿入部の挿入端に設けられて前記シール材を支持するシール材支持部と、
前記挿入部に対して前記挿入部の挿入方向に沿って移動可能に設けられ、前記挿入端に近づく移動において前記シール材支持部との間で前記シール材を外側に拡径させる移動部材と、
前記移動部材が前記挿入端に近づく移動位置を維持する移動規制部と、
を備えることを特徴とする請求項１〜３のいずれか１つに記載の放射性物質収納容器の蓋ボルト穴プラグ。
【請求項５】
前記蓋部は、前記胴部の開口部を閉塞する内蓋と、前記内蓋の外側の空間を閉塞する外蓋とを有し、前記胴部は、前記内蓋をボルトを締め付けて固定するための複数の内蓋ボルト穴と、前記外蓋をボルトを締め付けて固定するための複数の外蓋ボルト穴と、を有しており、
各前記外蓋ボルト穴に用いられる複数個の前記蓋ボルト穴プラグの前記移動部材または前記移動規制部を連結する連結部を有することを特徴とする請求項４に記載の放射性物質収納容器の蓋ボルト穴プラグ。
【請求項６】
上部に開口部が形成され下部が底部で閉塞された胴部と、前記胴部の開口部を閉塞する態様で前記開口部に形成された蓋ボルト穴にボルトを締め付けて固定される蓋部と、を有する放射性物質収納容器について、前記胴部に放射性物質を収納する際に前記蓋ボルト穴の防水を行うための放射性物質収納容器の蓋ボルト穴プラグにおいて、
前記蓋ボルト穴内に挿入される挿入部と、
前記挿入部が前記蓋ボルト穴内に挿入される部分の外周部に沿って設けられたシール材と、
前記蓋ボルト穴の雌ネジ部に係わらずに前記シール材を前記蓋ボルト穴の内面に押し付ける押付部と、
を備え、
前記押付部は、
前記挿入部の挿入端に設けられて前記シール材を支持するシール材支持部と、
前記挿入部に対して前記挿入部の挿入方向に沿って移動可能に設けられ、前記挿入端に近づく移動において前記シール材支持部との間で前記シール材を外側に拡径させる移動部材と、
前記移動部材が前記挿入端に近づく移動位置を維持する移動規制部と、
を備えており、
前記蓋部は、前記胴部の開口部を閉塞する内蓋と、前記内蓋の外側の空間を閉塞する外蓋とを有し、前記胴部は、前記内蓋をボルトを締め付けて固定するための複数の内蓋ボルト穴と、前記外蓋をボルトを締め付けて固定するための複数の外蓋ボルト穴と、を有しており、
各前記外蓋ボルト穴に用いられる複数個の前記蓋ボルト穴プラグの前記移動部材または前記移動規制部を連結する連結部を有することを特徴とする放射性物質収納容器の蓋ボルト穴プラグ。
【請求項７】
前記移動規制部は、前記挿入部が前記蓋ボルト穴から延出する部分に設けられて前記移動部材を前記挿入端側に押し出すカム部を有することを特徴とする請求項４〜６のいずれか１つに記載の放射性物質収納容器の蓋ボルト穴プラグ。
【請求項８】
前記移動規制部は、前記移動部材における前記挿入端側への押し出し操作に応じ、前記移動部材が前記挿入端に近づく移動位置を維持するロック状態と、前記移動部材が前記挿入端に近づく移動位置の維持を解除する解除状態とを切り替えるオルタネイト式のラッチ機構を有することを特徴とする請求項４〜６のいずれか１つに記載の放射性物質収納容器の蓋ボルト穴プラグ。
【請求項９】
前記移動規制部は、螺合により前記挿入部を中心に回転可能に設けられて、回転操作により前記移動部材を前記挿入端側に押し出す回転部材をなすことを特徴とする請求項４〜６のいずれか１つに記載の放射性物質収納容器の蓋ボルト穴プラグ。
【請求項１０】
前記挿入部の挿入端から延在して設けられて前記蓋ボルト穴の内面に添いつつ前記蓋ボルト穴の奥部に至り挿入される基部を有することを特徴とする請求項１〜９のいずれか１つに記載の放射性物質収納容器の蓋ボルト穴プラグ。
【請求項１１】
前記蓋部は、前記胴部の開口部を閉塞する内蓋と、前記内蓋の外側の空間を閉塞する外蓋とを有し、かつ前記内蓋および前記外蓋に前記ボルトを貫通する貫通穴が複数設けられており、
前記挿入部、前記シール材、および前記押付部が、前記内蓋の前記貫通穴に挿通可能に形成され、かつ前記挿入部は、前記蓋ボルト穴の外側に延出する長さ寸法が前記内蓋の前記貫通穴の長さ寸法よりも大きく形成されていることを特徴とする請求項１〜１０のいずれか１つに記載の放射性物質収納容器の蓋ボルト穴プラグ。
【請求項１２】
上部に開口部が形成され下部が底部で閉塞された胴部と、前記胴部の開口部を閉塞する態様で前記開口部に形成された内蓋ボルト穴にボルトを締め付けて固定される内蓋と、前記内蓋の外側の空間を閉塞する態様で前記開口部に形成された外蓋ボルト穴にボルトを締め付けて固定される外蓋と、を有する放射性物質収納容器について、当該放射性物質収納容器に放射性物質を収納する放射性物質収納方法において、
プールの外で前記胴部における前記内蓋ボルト穴および前記外蓋ボルト穴に請求項１〜１１のいずれか１つに記載の放射性物質収納容器の蓋ボルト穴プラグを取り付ける工程と、
前記胴部を前記プールの水中に沈める工程と、
前記プールの水中で前記胴部に前記放射性物質を収納する工程と、
前記プールの水中で前記胴部に対して前記内蓋を配置する工程と、
前記胴部を前記プールから引き上げる工程と、
前記蓋ボルト穴プラグを取り外す工程と、
前記胴部内を水抜きする工程と、
前記内蓋をボルト締めして固定する工程と、
前記内蓋の内側である前記胴部内を真空乾燥し、不活性ガスを充填する工程と、
前記外蓋をボルト締めして固定する工程と、
を含むことを特徴とする放射性物質収納方法。
【請求項１３】
前記胴部における前記内蓋ボルト穴および前記外蓋ボルト穴に蓋ボルト穴プラグを取り付ける工程において、前記内蓋ボルト穴の任意に選択した複数カ所に前記蓋ボルト穴プラグよりも長い寸法で前記内蓋ボルト穴から延出する案内ピンを取り付け、前記蓋ボルト穴プラグを取り外す工程において、前記案内ピンを前記蓋ボルト穴プラグと共に取り外すことを特徴とする請求項１２に記載の放射性物質収納方法。
【請求項１４】
前記蓋ボルト穴の開口部の内面に凹凸を有さず滑らかであって雌ネジ部よりも大径の開口周面を形成し、前記胴部における前記内蓋ボルト穴および前記外蓋ボルト穴に蓋ボルト穴プラグを取り付ける工程において、前記開口周面に前記蓋ボルト穴プラグの前記シール材を配置することを特徴とする請求項１２または１３に記載の放射性物質収納方法。
【発明の詳細な説明】
【技術分野】
【０００１】
本発明は、放射性物質収納容器に放射性物質を収納する際に用いられる放射性物質収納容器の蓋ボルト穴プラグ、および放射性物質収納容器の放射性物質収納方法に関する。
【背景技術】
【０００２】
原子力発電プラントの原子炉などで発生した放射性廃棄物は、放射性物質収納容器に収納され、貯蔵施設や再処理施設などに搬送され、貯蔵または再処理される。このような放射性物質収納容器において、乾式のものは、放射性物質を容器に収納するにあたり、プールの水中内に沈めた容器に放射性物質を収納し、蓋を設置して容器をプールから引き揚げ、容器内の水の排出し、蓋をボルトで固定し、容器内を真空乾燥し、最後に、容器内に不活性ガスを充填する。
【０００３】
このように、プールの水中内に沈めた容器に放射性物質を収納した後、容器内の水を排出し、乾燥するが、蓋を固定するためのボルト穴内に残存する水は、ボルトの締め付けにより蓋と容器の接合部に閉じ込められるため除去することが難しい。
【０００４】
このような問題に対し、従来、例えば、特許文献１では、有底筒形のキャスク本体の開口部にボルト止めされた内蓋と、それより大径の外蓋とをプール外で取り外した後、プール内でキャスク本体に使用済核燃料を収納する使用済核燃料の収納方法であって、キャスク本体の内蓋支持部に設けられたボルト穴にボルト穴防水キャップ治具を装着し、治具を取り付けたキャスク本体をプール内で取り扱うことが示されている。
【先行技術文献】
【特許文献】
【０００５】
【特許文献１】特開２００５−０４３０５８号公報
【発明の概要】
【発明が解決しようとする課題】
【０００６】
特許文献１に示されているボルト穴防水キャップ治具は、ボルト穴の雌ネジ部に螺合する雄ネジ部を有し、ボルト穴への締め込みにより取り付けるものである。また、特許文献１に示されているボルト穴防水キャップ治具は、蓋を固定する際には取り外されて固定用のボルトと交換される。従って、多数のボルト穴への締め込みや取り外しの作業に負担が大きい問題がある。
【０００７】
本発明は上述した課題を解決するものであり、放射性物質収納容器のボルト穴の防水を実施したり撤去したりする作業を容易に行うことのできる放射性物質収納容器の蓋ボルト穴プラグおよび放射性物質収納方法を提供することを目的とする。
【課題を解決するための手段】
【０００８】
本発明の放射性物質収納容器の蓋ボルト穴プラグは、上部に開口部が形成され下部が底部で閉塞された胴部と、前記胴部の開口部を閉塞する態様で前記開口部に形成された蓋ボルト穴にボルトを締め付けて固定される蓋部と、を有する放射性物質収納容器について、前記胴部に放射性物質を収納する際に前記蓋ボルト穴の防水を行うための放射性物質収納容器の蓋ボルト穴プラグにおいて、前記蓋ボルト穴内に挿入される挿入部と、前記挿入部が前記蓋ボルト穴内に挿入される部分の外周部に沿って設けられたシール材と、前記蓋ボルト穴の雌ネジ部に係わらずに前記シール材を前記蓋ボルト穴の内面に押し付ける押付部と、を備えることを特徴とする。
【０００９】
この放射性物質収納容器の蓋ボルト穴プラグによれば、蓋ボルト穴の雌ネジ部に係わらずにシール材を蓋ボルト穴の内面に押し付ける押付部を備えることで、防水機能が短時間で得られるため、放射性物質収納容器の蓋ボルト穴の防水を実施したり撤去したりする作業を容易に行うことができる。
【００１０】
本発明の放射性物質収納容器の蓋ボルト穴プラグでは、前記押付部は、前記挿入部の挿入端に設けられて前記シール材を支持するシール材支持部と、前記挿入部に対して前記挿入部の挿入方向に沿って移動可能に設けられ、前記挿入端に近づく移動において前記シール材支持部との間で前記シール材を外側に拡径させる移動部材と、前記移動部材が前記挿入端に近づく移動位置を維持する移動規制部と、を備えることを特徴とする。
【００１１】
この放射性物質収納容器の蓋ボルト穴プラグによれば、防水機能が短時間で得られる作用が実現でき、放射性物質収納容器の蓋ボルト穴の防水を実施したり撤去したりする作業を容易に行うことができる。
【００１２】
本発明の放射性物質収納容器の蓋ボルト穴プラグでは、前記移動規制部は、前記挿入部が前記蓋ボルト穴から延出する部分に設けられて前記移動部材を前記挿入端側に押し出すカム部を有することを特徴とする。
【００１３】
この放射性物質収納容器の蓋ボルト穴プラグによれば、カム部を有することで、移動部材が挿入端に近づく移動位置を維持する作用を実現することができる。
【００１４】
本発明の放射性物質収納容器の蓋ボルト穴プラグでは、前記移動規制部は、前記移動部材における前記挿入端側への押し出し操作に応じ、前記移動部材が前記挿入端に近づく移動位置を維持するロック状態と、前記移動部材が前記挿入端に近づく移動位置の維持を解除する解除状態とを切り替えるオルタネイト式のラッチ機構を有することを特徴とする。
【００１５】
この放射性物質収納容器の蓋ボルト穴プラグによれば、ロック状態と解除状態との切り替えを容易に行うことができ、放射性物質収納容器の蓋ボルト穴の防水を実施したり撤去したりする作業を容易に行う効果を顕著に得ることができる。
【００１６】
本発明の放射性物質収納容器の蓋ボルト穴プラグでは、前記移動規制部は、螺合により前記挿入部を中心に回転可能に設けられて、回転操作により前記移動部材を前記挿入端側に押し出す回転部材をなすことを特徴とする。
【００１７】
この放射性物質収納容器の蓋ボルト穴プラグによれば、回転操作により移動部材を挿入端側に押し出すことで、移動部材が挿入端に近づく移動位置を維持する作用を実現することができる。
【００１８】
本発明の放射性物質収納容器の蓋ボルト穴プラグでは、前記挿入部は、その挿入端に拭取部材を有することを特徴とする。
【００１９】
この放射性物質収納容器の蓋ボルト穴プラグによれば、蓋ボルト穴プラグを取り外す際に、拭取部材により、蓋ボルト穴の開口部や蓋部の貫通穴に残留した水分を拭き取ることができる。
【００２０】
本発明の放射性物質収納容器の蓋ボルト穴プラグでは、前記挿入部の挿入端から延在して設けられて前記蓋ボルト穴の内面に添いつつ前記蓋ボルト穴の奥部に至り挿入される基部を有することを特徴とする。
【００２１】
この放射性物質収納容器の蓋ボルト穴プラグによれば、基部により、蓋ボルト穴に対して安定して設置できる。
【００２２】
本発明の放射性物質収納容器の蓋ボルト穴プラグでは、前記蓋部は、前記胴部の開口部を閉塞する内蓋と、前記内蓋の外側の空間を閉塞する外蓋とを有し、かつ前記内蓋および前記外蓋に前記ボルトを貫通する貫通穴が複数設けられており、前記挿入部、前記シール材、および前記押付部が、前記内蓋の前記貫通穴に挿通可能に形成され、かつ前記挿入部は、前記蓋ボルト穴の外側に延出する長さ寸法が前記内蓋の前記貫通穴の長さ寸法よりも大きく形成されていることを特徴とする。
【００２３】
この放射性物質収納容器の蓋ボルト穴プラグによれば、内蓋は、プールの水中で胴部に配置されるため、挿入部、シール材、および押付部が、内蓋の貫通穴に挿通可能に形成されていることで、これらの構成に干渉せず内蓋を配置することができる。しかも、挿入部は、内蓋ボルト穴の外側に延出する長さ寸法が内蓋の貫通穴の長さ寸法よりも大きく形成されているため、プールの水中から胴部を引き上げた後、内蓋の貫通穴からの取り出しを容易に行うことができる。
【００２４】
本発明の放射性物質収納容器の蓋ボルト穴プラグでは、前記蓋部は、前記胴部の開口部を閉塞する内蓋と、前記内蓋の外側の空間を閉塞する外蓋とを有し、前記胴部は、前記内蓋をボルトを締め付けて固定するための複数の内蓋ボルト穴と、前記外蓋をボルトを締め付けて固定するための複数の外蓋ボルト穴と、を有しており、各前記外蓋ボルト穴に用いられる複数個を連結する連結部を有することを特徴とする。
【００２５】
この放射性物質収納容器の蓋ボルト穴プラグによれば、連結部により連結されることで、複数の外蓋ボルト穴に対してまとめて取り付けることができる。
【００２６】
本発明の放射性物質収納方法は、上部に開口部が形成され下部が底部で閉塞された胴部と、前記胴部の開口部を閉塞する態様で前記開口部に形成された内蓋ボルト穴にボルトを締め付けて固定される内蓋と、前記内蓋の外側の空間を閉塞する態様で前記開口部に形成された外蓋ボルト穴にボルトを締め付けて固定される外蓋と、を有する放射性物質収納容器について、当該放射性物質収納容器に放射性物質を収納する放射性物質収納方法において、プールの外で前記胴部における前記内蓋ボルト穴および前記外蓋ボルト穴に上述したいずれか１つの放射性物質収納容器の蓋ボルト穴プラグを取り付ける工程と、前記胴部を前記プールの水中に沈める工程と、前記プールの水中で前記胴部に前記放射性物質を収納する工程と、前記プールの水中で前記胴部に対して前記内蓋を配置する工程と、前記胴部を前記プールから引き上げる工程と、前記蓋ボルト穴プラグを取り外す工程と、前記胴部内を水抜きする工程と、前記内蓋をボルト締めして固定する工程と、前記内蓋の内側である前記胴部内を真空乾燥し、不活性ガスを充填する工程と、前記外蓋をボルト締めして固定する工程と、を含むことを特徴とする。
【００２７】
この放射性物質収納方法によれば、蓋ボルト穴プラグにおいて、蓋ボルト穴の雌ネジ部に係わらずにシール材を蓋ボルト穴の内面に押し付ける押付部を備えることで、防水機能が短時間で得られるため、キャスクの蓋ボルト穴の防水を実施したり撤去したりする作業を容易に行うことができる。この結果、放射性物質を収納する作業時間の短縮化を図ることができる。
【００２８】
本発明の放射性物質収納方法では、前記胴部における前記内蓋ボルト穴および前記外蓋ボルト穴に蓋ボルト穴プラグを取り付ける工程において、前記内蓋ボルト穴の任意に選択した複数カ所に前記蓋ボルト穴プラグよりも長い寸法で前記内蓋ボルト穴から延出する案内ピンを取り付け、前記蓋ボルト穴プラグを取り外す工程において、前記案内ピンを前記蓋ボルト穴プラグと共に取り外すことを特徴とする。
【００２９】
この放射性物質収納方法によれば、案内ピンを用いることで、内蓋を胴部に設置する作業において、内蓋の蓋ボルト穴プラグへの干渉を防ぐことができ、蓋ボルト穴プラグによる防水機能を維持することができる。
【００３０】
本発明の放射性物質収納方法では、前記蓋ボルト穴の開口部の内面に凹凸を有さず滑らかであって雌ネジ部よりも大径の開口周面を形成し、前記胴部における前記内蓋ボルト穴および前記外蓋ボルト穴に蓋ボルト穴プラグを取り付ける工程において、前記開口周面に前記蓋ボルト穴プラグの前記シール材を配置することを特徴とする。
【００３１】
この放射性物質収納方法によれば、凹凸を有さず滑らかな開口周面にシール材を配置することで、蓋ボルト穴プラグによる防水機能を向上することができる。
【発明の効果】
【００３２】
本発明によれば、放射性物質収納容器のボルト穴の防水を実施したり撤去したりする作業を容易に行うことができる。
【図面の簡単な説明】
【００３３】
【図１】図１は、本発明の実施形態に係る蓋ボルト穴プラグが適用される放射性物質収納容器としてのキャスクの一例を示す側断面図である。
【図２】図２は、図１に示すキャスクの平断面図である。
【図３】図３は、図１に示すキャスクの側断面一部拡大図である。
【図４】図４は、本発明の実施形態に係る蓋ボルト穴プラグの側面図である。
【図５】図５は、図４に示す蓋ボルト穴プラグの使用状態の側面図である。
【図６】図６は、図４に示す蓋ボルト穴プラグの変形例の側面図である。
【図７】図７は、本発明の実施形態に係る蓋ボルト穴プラグの他の例の側面図である。
【図８】図８は、図７に示す蓋ボルト穴プラグの使用状態の側面図である。
【図９】図９は、図７に示す蓋ボルト穴プラグの変形例の側面図である。
【図１０】図１０は、本発明の実施形態に係る蓋ボルト穴プラグの他の例の側面図である。
【図１１】図１１は、図１０に示す蓋ボルト穴プラグの使用状態の側面図である。
【図１２】図１２は、図１０に示す蓋ボルト穴プラグの変形例の側面図である。
【図１３】図１３は、本発明の実施形態に係る蓋ボルト穴プラグを用いた放射性物質収納方法の工程図である。
【図１４】図１４は、本発明の実施形態に係る蓋ボルト穴プラグを用いた放射性物質収納方法の他の例の側面図である。
【図１５】図１５は、本発明の実施形態に係る蓋ボルト穴プラグの他の例の側面図である。
【図１６】図１６は、図１５に示す蓋ボルト穴プラグの作用を表す側面図である。
【図１７】図１７は、本発明の実施形態に係る蓋ボルト穴プラグの他の例の平面図である。
【図１８】図１８は、図１７に示す蓋ボルト穴プラグの側面図である。
【図１９】図１９は、本発明の実施形態に係る蓋ボルト穴プラグの他の例の側面図である。
【発明を実施するための形態】
【００３４】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００３５】
図１は、本実施形態に係る吊構造が適用される放射性物質収納容器としてのキャスクの一例を示す側断面図である。図２は、図１に示すキャスクの平断面図である。図３は、図１に示すキャスクの側断面一部拡大図である。
【００３６】
放射性物質収納容器としてのキャスク１１１は、胴部１１２と蓋部１１３とバスケット１１４とを有する。胴部１１２は、胴本体１２１の一方である上部に開口部１２２が形成され、他方である下部に底部（閉塞部）１２３が形成された円筒形状をなしている。胴本体１２１は、内部にキャビティ１２４が設けられ、このキャビティ１２４は、その内面がバスケット１１４の外周形状に合わせた形状となっている。バスケット１１４は、例えば、使用済燃料集合体である放射性物質（図示略）を個々に収納するセルを複数有している。バスケット１１４は、バスケット本体１１４Ａを有する。バスケット本体１１４Ａは、互いに平行かつ所定間隔で配置されるセルとしての放射性物質収納部１１４Ｂが上下方向で連続して形成されている。ここで、上下方向とは、キャスク１１１において胴本体１２１の円筒形状の中心軸の延在方向である長手方向Ｘに対して沿う方向であり、胴本体１２１の上下方向に相当する。そして、胴本体１２１は、下部に底部１２３が溶接結合または一体成形されており、この胴本体１２１および底部１２３は、γ線遮蔽機能を有する炭素鋼製の鍛造品となっている。胴本体１２１および底部１２３は、炭素鋼の代わりにステンレス鋼を用いることもできる。また、胴本体１２１および底部１２３は、球状黒鉛鋳鉄または炭素鋼鋳鋼などの鋳造品を用いることもできる。
【００３７】
胴部１１２は、胴本体１２１の外周側に所定の隙間を空けて外筒１２５が配設されており、胴本体１２１の外周面と外筒１２５の内周面との間に、熱伝導を行う銅や鋼製の伝熱フィン１２５Ａが周方向に等間隔で複数溶接されている。そして、胴部１１２は、胴本体１２１と外筒１２５との空間部に、水素を多く含有する高分子材料であって中性子遮蔽機能を有するボロンまたはボロン化合物を含有したレジン（中性子遮蔽体）１２６が流動状態で図示しないパイプ等を介して注入され、固化されている。
【００３８】
また、胴部１１２は、底部１２３の下側に複数の連結板１２７により所定の隙間を空けて底板１２８が連結されていてもよく、この連結板１２７と底板１２８との空間部にレジン（中性子遮蔽体）１２９が設けられている。なお、連結板１２７を設けないこともある。また、胴部１１２は、側面１３５にトラニオン１３０が固定されている。トラニオン１３０は、キャスク１１１において径方向の相反する側に突出して対をなし、かつ上下方向の２箇所に配置されて、少なくとも計４箇所に設けられている。
【００３９】
蓋部１１３は、図１に示すように、一次蓋１３１と、二次蓋１３２と、三次蓋１３３と、を有する。一次蓋１３１は、胴部１１２における胴本体１２１の開口部１２２に対して着脱可能に取り付けられる。二次蓋１３２は、一次蓋１３１の外側で開口部１２２に対して着脱可能に取り付けられる。三次蓋１３３は、二次蓋１３２の外側で開口部１２２に対して着脱可能に取り付けられる。一次蓋１３１は、キャビティ１２４側の負圧を維持してキャビティ１２４内に充填されたガスの漏洩を防ぐと共に、キャビティ１２４内に収納された放射性物質から出る放射線（γ線）を遮蔽する。また、一次蓋１３１は、二次蓋１３２側にレジン（中性子遮蔽体）１３４が設けられている。二次蓋１３２は、一次蓋１３１との間に大気に対して加圧された圧力監視境界を有し、一次蓋１３１からのガスの漏洩を阻止すると共に、キャビティ１２４側の圧力を担保する。三次蓋１３３は、二次蓋１３２を外部の衝撃から防御する。なお、図には明示しないが、一次蓋１３１と二次蓋１３２との間に、二次蓋１３２の衝撃を吸収する緩衝部が設けられていてもよい。
【００４０】
ここで、一次蓋１３１、二次蓋１３２、三次蓋１３３の開口部１２２への取り付けについて説明する。図３に示すように、胴部１１２は、胴本体１２１の開口部１２２の内周部に段付部が形成されている。段付部は、開口部１２２の内側から、第一段部１４１と、第二段部１４２と、第三段部１４３と、を有する。
【００４１】
第一段部１４１は、第一内周部１４１Ａと第一座面部１４１Ｂとを有する。第一内周部１４１Ａは、胴本体１２１の内周をなしており、長手方向Ｘにおいて開口部１２２の外側に延伸している。第一座面部１４１Ｂは、第一内周部１４１Ａの延端から胴本体１２１の径方向外側に延伸して開口部１２２の外側に向く面をなす。第一座面部１４１Ｂは、第一蓋ボルト穴１４１Ｃが胴本体１２１の周りに沿って複数設けられている。この第一段部１４１において、一次蓋１３１が胴本体１２１と固定される。
【００４２】
第二段部１４２は、長手方向Ｘにおいて第一段部１４１よりも開口部１２２の外側に位置する。第二段部１４２は、第二内周部１４２Ａと第二座面部１４２Ｂとを有する。第二内周部１４２Ａは、胴本体１２１の内周をなしており、第一段部１４１の第一座面部１４１Ｂの外周端から長手方向Ｘにおいて開口部１２２の外側に延伸している。第二座面部１４２Ｂは、第二内周部１４２Ａの延端から胴本体１２１の径方向外側に延伸して開口部１２２の外側に向く面をなす。第二座面部１４２Ｂは、第二蓋ボルト穴１４２Ｃが胴本体１２１の周りに沿って複数設けられている。この第二段部１４２において、二次蓋１３２が胴本体１２１と固定される。
【００４３】
第三段部１４３は、長手方向Ｘにおいて第二段部１４２よりも開口部１２２の外側に位置する。第三段部１４３は、第三内周部１４３Ａと第三座面部１４３Ｂとを有する。第三内周部１４３Ａは、胴本体１２１の内周をなしており、第二段部１４２の第二座面部１４２Ｂの外周端から長手方向Ｘにおいて開口部１２２の外側に延伸している。第三座面部１４３Ｂは、第三内周部１４３Ａの延端である開口部１２２の開口縁から胴本体１２１の径方向外側に延伸して開口部１２２の外側に向く面をなす。この第三座面部１４３Ｂは、胴本体１２１における開口部１２２の外側の端面をなす。第三座面部１４３Ｂは、第三蓋ボルト穴１４３Ｃが胴本体１２１の周りに沿って複数設けられている。この第三段部１４３において、三次蓋１３３が胴本体１２１と固定される。
【００４４】
一次蓋１３１は、円板部１３１Ａと突起部１３１Ｂとを有する。円板部１３１Ａは、第二段部１４２の第二内周部１４２Ａの内側に挿入可能な大きさで円板状に形成されている。突起部１３１Ｂは、円板部１３１Ａの中央部において一側面１３１Ａａから突出して設けられ、第一段部１４１の第一内周部１４１Ａの内側に挿入可能な大きさで円柱状に形成されている。円板部１３１Ａの一側面１３１Ａａは、円板部１３１Ａの外周部に配置されることになる。また、一次蓋１３１は、円板部１３１Ａの一側面１３１Ａａに、シール溝１３１Ｃが形成されている。シール溝１３１Ｃは、シール部材（例えば、金属製ガスケット）１３１Ｄが挿入される。また、一次蓋１３１は、円板部１３１Ａの外周部であってシール溝１３１Ｃを避ける位置に、周方向に沿って複数の貫通穴１３１Ｅが設けられている。貫通穴１３１Ｅは、第一段部１４１の第一座面部１４１Ｂに設けられた第一蓋ボルト穴１４１Ｃに対応して設けられている。この一次蓋１３１は、円板部１３１Ａの一側面１３１Ａａを第一段部１４１の第一座面部１４１Ｂと対面させた状態で、貫通穴１３１Ｅに挿通したボルト１５１を第一蓋ボルト穴１４１Ｃに螺合させることで、一側面１３１Ａａが第一座面部１４１Ｂに押圧されるように締め付けられ、シール部材１３１Ｄが一側面１３１Ａａ側と第一座面部１４１Ｂ側との間で挟み込まれることで、胴本体１２１の開口部１２２における第一段部１４１の位置を密封する。
【００４５】
二次蓋１３２は、円板部１３２Ａと突起部１３２Ｂとを有する。円板部１３２Ａは、第三段部１４３の第三内周部１４３Ａの内側に挿入可能な大きさで円板状に形成されている。突起部１３２Ｂは、円板部１３２Ａの中央部において一側面１３２Ａａから突出して設けられ、第二段部１４２の第二内周部１４２Ａの内側に挿入可能な大きさで円柱状に形成されている。円板部１３２Ａの一側面１３２Ａａは、円板部１３２Ａの外周部に配置されることになる。また、二次蓋１３２は、円板部１３２Ａの一側面１３２Ａａに、シール溝１３２Ｃが形成されている。シール溝１３２Ｃは、シール部材（例えば、金属製ガスケット）１３２Ｄが挿入される。また、二次蓋１３２は、円板部１３２Ａの外周部であってシール溝１３２Ｃを避ける位置に、周方向に沿って複数の貫通穴１３２Ｅが設けられている。貫通穴１３２Ｅは、第二段部１４２の第二座面部１４２Ｂに設けられた第二蓋ボルト穴１４２Ｃに対応して設けられている。この二次蓋１３２は、円板部１３２Ａの一側面１３２Ａａを第二段部１４２の第二座面部１４２Ｂと対面させた状態で、貫通穴１３２Ｅに挿通したボルト１５２を第二蓋ボルト穴１４２Ｃに螺合させることで、一側面１３２Ａａが第二座面部１４２Ｂに押圧されるように締め付けられ、シール部材１３２Ｄが一側面１３２Ａａ側と第二座面部１４２Ｂ側との間で挟み込まれることで、胴本体１２１の開口部１２２における第二段部１４２の位置を密封する。
【００４６】
三次蓋１３３は、円板部１３３Ａと突起部１３３Ｂとを有する。円板部１３３Ａは、第三座面部１４３Ｂを覆う大きさで円板状に形成されている。突起部１３３Ｂは、円板部１３３Ａの中央部において一側面１３３Ａａから突出して設けられ、第三段部１４３の第三内周部１４３Ａの内側に挿入可能な大きさで円柱状に形成されている。円板部１３３Ａの一側面１３３Ａａは、円板部１３３Ａの外周部に配置されることになる。また、三次蓋１３３は、円板部１３３Ａの一側面１３３Ａａに、シール溝１３３Ｃが形成されている。シール溝１３３Ｃは、シール部材（例えば、ゴム製Ｏリング）１３３Ｄが挿入される。また、三次蓋１３３は、円板部１３３Ａの外周部であってシール溝１３３Ｃを避ける位置に、周方向に沿って複数の貫通穴１３３Ｅが設けられている。貫通穴１３３Ｅは、第三段部１４３の第三座面部１４３Ｂに設けられた第三蓋ボルト穴１４３Ｃに対応して設けられている。この三次蓋１３３は、円板部１３３Ａの一側面１３３Ａａを第三段部１４３の第三座面部１４３Ｂと対面させた状態で、貫通穴１３３Ｅに挿通したボルト１５３を第三蓋ボルト穴１４３Ｃに螺合させることで、一側面１３３Ａａが第三座面部１４３Ｂに押圧されるように締め付けられ、シール部材１３３Ｄが一側面１３３Ａａ側と第三座面部１４３Ｂ側との間で挟み込まれることで、胴本体１２１の開口部１２２における第三段部１４３の位置を密封する。
【００４７】
そして、放射性物質は、水中において胴部１１２におけるキャビティ１２４のバスケット１１４に挿入され、一次蓋１３１が配置される。その後、胴部１１２は、水中から引き上げられ、一次蓋１３１に設けられた排水口（図示せず）から排水および吸引が行われ、一次蓋１３１がボルト１５１で取り付けられた後、真空乾燥および一次蓋１３１に設けられた封入口（図示せず）からガス（例えば、不活性ガス）が注入されることで、一次蓋１３１により密封された内部が負圧とされてガスで満たされる。その後、二次蓋１３２および三次蓋１３３がボルト１５２およびボルト１５３により取り付けられる。このように、放射性物質は、一次蓋１３１、二次蓋１３２および三次蓋１３３を胴本体１２１に取り付けることによりキャスク１１１に収納される。なお、図には明示しないが、キャスク１１１は、一次蓋１３１および二次蓋１３２のみを有する構成や、一次蓋１３１および三次蓋１３３のみを有する構成がある。
【００４８】
なお、本実施形態において、一次蓋１３１を内蓋といい、一次蓋１３１を胴部１１２に固定するための第一蓋ボルト穴１４１Ｃを内蓋ボルト穴という。また、本実施形態において、二次蓋１３２および三次蓋１３３を内蓋の外側の空間を閉塞するための外蓋といい、二次蓋１３２および三次蓋１３３を胴部１１２に固定するための第二蓋ボルト穴１４２Ｃおよび第三蓋ボルト穴１４３Ｃを外蓋ボルト穴という。
【００４９】
以下、蓋ボルト穴プラグについて説明する。
【００５０】
図４は、本実施形態に係る蓋ボルト穴プラグの側面図である。図５は、図４に示す蓋ボルト穴プラグの使用状態の側面図である。図６は、図４に示す蓋ボルト穴プラグの変形例の側面図である。
【００５１】
図４〜図６に示す蓋ボルト穴プラグ１は、キャスク１１１に放射性物質を収納する際に、胴部１１２を水中に沈めた場合の各蓋ボルト穴１４１Ｃ，１４２Ｃ，１４３Ｃの防水のために、各蓋ボルト穴１４１Ｃ，１４２Ｃ，１４３Ｃへの水の浸入を防止するためのものである。この蓋ボルト穴プラグ１は、図４および図５に示すように、挿入部２と、シール材３と、押付部４と、を備える。
【００５２】
挿入部２は、棒状に構成されて蓋ボルト穴１４１Ｃ，１４２Ｃ，１４３Ｃに挿入可能に設けられている。
【００５３】
シール材３は、挿入部２に設けられている。シール材３は、挿入部２が蓋ボルト穴１４１Ｃ，１４２Ｃ，１４３Ｃに挿入される部分である挿入端２Ａに設けられている。シール材３は、円環状に形成されその内部に挿入部２を刺し通すように配置されることで、挿入部２の挿入端２Ａにおける外周部に沿って設けられている。本実施形態において、シール材３は、２つ配置され、図４に示すように、挿入部２の棒状の延在方向において相互の外周部が接触し、中央側が離れた形状とされている。シール材３は、高分子材料としてのエチレン・プロピレン・ジエンゴムや、ニトリルゴムや、シリコン系ゴムなどで形成される。
【００５４】
押付部４は、シール材３を蓋ボルト穴１４１Ｃ，１４２Ｃ，１４３Ｃの内面に押し付けるものである。具体的に、押付部４は、シール材支持部４Ａと、移動部材４Ｂと、移動規制部４Ｃと、を備えている。
【００５５】
押付部４のシール材支持部４Ａは、挿入部２を蓋ボルト穴１４１Ｃ，１４２Ｃ，１４３Ｃに挿入するための挿入端２Ａに設けられている。シール材支持部４Ａは、挿入部２における棒状の延在方向であって蓋ボルト穴１４１Ｃ，１４２Ｃ，１４３Ｃに挿入する挿入方向（図中Ｘ’方向）に沿って延びる挿入部２の中心線ＣＬに対し、当該中心線ＣＬを中心とした放射方向に突出するように円盤状に形成されている。なお、Ｘ’方向は、蓋ボルト穴１４１Ｃ，１４２Ｃ，１４３Ｃの奥行き方向に相当する。また、シール材支持部４Ａは、円盤状に限らず、図には明示しないが中心線ＣＬを中心とした放射方向に突出する複数の突起として形成されていてもよい。上述したシール材３は、このシール材支持部４Ａに掛かることで、挿入部２の挿入端２Ａにおける外周部に沿って設けられる。
【００５６】
押付部４の移動部材４Ｂは、挿入部２の挿入方向に延在する筒状に形成され、その筒内に挿入部２を挿入可能に設けられ、当該挿入方向に移動可能に設けられている。上述したシール材３は、移動部材４Ｂの一端と、シール材支持部４Ａとの間に配置される。従って、図５および図６に示すように、移動部材４Ｂを、挿入部２の挿入端２Ａに近づくように移動させた場合、この移動部材４Ｂとシール材支持部４Ａとの間で２つのシール材３を押し潰して外側に拡径させる。そして、外側に拡径したシール材３は、蓋ボルト穴１４１Ｃ，１４２Ｃ，１４３Ｃの内径よりも大きくなり、この結果、シール材３は、蓋ボルト穴１４１Ｃ，１４２Ｃ，１４３Ｃの内面に押し付けられる。
【００５７】
押付部４の移動規制部４Ｃは、移動部材４Ｂが挿入部２の挿入端２Ａに近づく移動位置を維持するものである。移動規制部４Ｃは、挿入部２を蓋ボルト穴１４１Ｃ，１４２Ｃ，１４３Ｃに挿入した場合に蓋ボルト穴１４１Ｃ，１４２Ｃ，１４３Ｃの外側に突出する突出端２Ｂに設けられ、挿入部２の挿入方向に対して直交する軸４Ｃａを中心に回転可能に配置されている。また、移動規制部４Ｃは、軸４Ｃａを中心とした外周部が軸４Ｃａに対して偏心するカム部を有している。カム部は、軸４Ｃａに近い平坦な第一カム面４Ｃｂと、軸４Ｃａから遠い平坦な第二カム面４Ｃｃとが回転方向に隣接して設けられている。また、移動規制部４Ｃは、軸４Ｃａを中心とした回転を操作するための操作レバー４Ｃｄを有する。従って、操作レバー４Ｃｄを操作し、図４に示すように、軸４Ｃａに近い第一カム面４Ｃｂが移動部材４Ｂの他端に当接するように移動規制部４Ｃを回転させた場合、軸４Ｃａと移動部材４Ｂの他端とが近くなり、このため、シール材３の弾性力により移動部材４Ｂが挿入部２の挿入端２Ａ（シール材支持部４Ａ）から遠ざかるため、シール材３は、内側に縮径する。第一カム面４Ｃｂは、平坦であり、移動部材４Ｂの他端も平坦であるため、第一カム面４Ｃｂと移動部材４Ｂの他端との当接は維持される。一方、操作レバー４Ｃｄを操作し、図５および図６に示すように、軸４Ｃａから遠い第二カム面４Ｃｃが移動部材４Ｂの他端に当接するように移動規制部４Ｃを回転させた場合、軸４Ｃａと移動部材４Ｂの他端とが遠くなり、このため、移動部材４Ｂがシール材３の弾性力に抗して挿入部２の挿入端２Ａ（シール材支持部４Ａ）に近づくため、相互の間でシール材３を押し潰して外側に拡径させる。第二カム面４Ｃｃは、平坦であり、移動部材４Ｂの他端も平坦であるため、第二カム面４Ｃｃと移動部材４Ｂの他端との当接は維持される。
【００５８】
蓋ボルト穴プラグ１は、このような構成によりシール材３を蓋ボルト穴１４１Ｃ，１４２Ｃ，１４３Ｃの内面に押し付けることで、蓋ボルト穴１４１Ｃ，１４２Ｃ，１４３Ｃの内部への水の浸入を防止する防水機能を有している。
【００５９】
ところで、図５では、内蓋である一次蓋１３１を第一段部１４１の第一座面部１４１Ｂに取り付けるためにボルト１５１が螺合される第一蓋ボルト穴１４１Ｃに対し、蓋ボルト穴プラグ１を取り付けた状態を示している。上述したように、一次蓋１３１は、水中において胴部１１２に配置され、水中から引き上げられた後にボルト１５１により取り付けられる。従って、第一蓋ボルト穴１４１Ｃに取り付ける蓋ボルト穴プラグ１は、取り付けた後に一次蓋１３１を第一座面部１４１Ｂに配置できるように、挿入部２、シール材３、および押付部４の全体が一次蓋１３１の貫通穴１３１Ｅに挿入可能に構成されている。しかも、第一蓋ボルト穴１４１Ｃに取り付ける蓋ボルト穴プラグ１は、一次蓋１３１を第一座面部１４１Ｂに配置した後に第一蓋ボルト穴１４１Ｃから取り外せるように、挿入部２の突出端２Ｂ（移動規制部４Ｃ）が貫通穴１３１Ｅから突出する長さに挿入部２の長さ寸法が設定されている。つまり、挿入部２は、第一蓋ボルト穴１４１Ｃの外側に延出する長さ寸法Ｌ１が、一次蓋１３１の貫通穴１３１Ｅの長さ寸法Ｌ２よりも大きく形成されている。長さ寸法Ｌ１は、移動部材４Ｂが挿入部２の挿入端２Ａに近づく位置に移動した場合の一端から上側までの寸法としてもよい。
【００６０】
一方、図６では、外蓋である二次蓋１３２を第二段部１４２の第一座面部１４２Ｂに取り付けるためにボルト１５２が螺合される第二蓋ボルト穴１４２Ｃ、または外蓋である三次蓋１３３を第三段部１４３の第一座面部１４３Ｂに取り付けるためにボルト１５３が螺合される第三蓋ボルト穴１４３Ｃに対し、蓋ボルト穴プラグ１を取り付けた状態を示している。上述したように、二次蓋１３２や三次蓋１３３は、水中から引き上げられた後に胴部１１２に配置され、ボルト１５２やボルト１５３により取り付けられる。従って、第二蓋ボルト穴１４２Ｃや第三蓋ボルト穴１４３Ｃに取り付ける蓋ボルト穴プラグ１は、挿入部２、シール材３、および押付部４の全体が貫通穴１３２Ｅや貫通穴１３３Ｅに挿入可能に構成される制約はない。しかも、第二蓋ボルト穴１４２Ｃや第三蓋ボルト穴１４３Ｃに取り付ける蓋ボルト穴プラグ１は、上記長さ寸法Ｌ１に対応する寸法Ｌ３が、貫通穴１３２Ｅ，１３３Ｅの長さ寸法Ｌ４に対して制約はなく、小さくてもよい。
【００６１】
図７は、本実施形態に係る蓋ボルト穴プラグの他の例の側面図である。図８は、図７に示す蓋ボルト穴プラグの使用状態の側面図である。図９は、図７に示す蓋ボルト穴プラグの変形例の側面図である。
【００６２】
図７〜図９に示す蓋ボルト穴プラグ１１は、キャスク１１１に放射性物質を収納する際に、胴部１１２を水中に沈めた場合の各蓋ボルト穴１４１Ｃ，１４２Ｃ，１４３Ｃの防水のために、各蓋ボルト穴１４１Ｃ，１４２Ｃ，１４３Ｃへの水の浸入を防止するためのものである。この蓋ボルト穴プラグ１１は、図７および図８に示すように、挿入部１２と、シール材１３と、押付部１４と、を備える。
【００６３】
挿入部１２は、棒状に構成されて蓋ボルト穴１４１Ｃ，１４２Ｃ，１４３Ｃに挿入可能に設けられている。
【００６４】
シール材１３は、挿入部１２に設けられている。シール材１３は、挿入部１２が蓋ボルト穴１４１Ｃ，１４２Ｃ，１４３Ｃに挿入される部分である挿入端１２Ａに設けられている。シール材１３は、円環状に形成されその内部に挿入部１２を刺し通すように配置されることで、挿入部１２の挿入端１２Ａにおける外周部に沿って設けられている。本実施形態において、シール材１３は、２つ配置され、図７に示すように、挿入部１２の棒状の延在方向において相互の外周部が接触し、中央側が離れた形状とされている。シール材１３は、高分子材料としてのエチレン・プロピレン・ジエンゴムや、ニトリルゴムや、シリコン系ゴムなどで形成される。
【００６５】
押付部１４は、シール材１３を蓋ボルト穴１４１Ｃ，１４２Ｃ，１４３Ｃの内面に押し付けるものである。具体的に、押付部１４は、シール材支持部１４Ａと、移動部材１４Ｂと、移動規制部１４Ｃと、を備えている。
【００６６】
押付部１４のシール材支持部１４Ａは、挿入部１２を蓋ボルト穴１４１Ｃ，１４２Ｃ，１４３Ｃに挿入するための挿入端１２Ａに設けられている。シール材支持部１４Ａは、挿入部１２における棒状の延在方向であって蓋ボルト穴１４１Ｃ，１４２Ｃ，１４３Ｃに挿入する挿入方向（図中Ｘ’方向）に沿って延びる挿入部１２の中心線ＣＬに対し、当該中心線ＣＬを中心とした放射方向に突出するように円盤状に形成されている。なお、Ｘ’方向は、蓋ボルト穴１４１Ｃ，１４２Ｃ，１４３Ｃの奥行き方向に相当する。また、シール材支持部１４Ａは、円盤状に限らず、図には明示しないが中心線ＣＬを中心とした放射方向に突出する複数の突起として形成されていてもよい。上述したシール材１３は、このシール材支持部１４Ａに掛かることで、挿入部１２の挿入端１２Ａにおける外周部に沿って設けられる。
【００６７】
押付部１４の移動部材１４Ｂは、挿入部１２の挿入方向に延在する筒状に形成され、その筒内に挿入部１２を挿入可能に設けられ、当該挿入方向に移動可能に設けられている。上述したシール材１３は、移動部材１４Ｂの一端と、シール材支持部１４Ａとの間に配置される。従って、図８および図９に示すように、移動部材１４Ｂを、挿入部１２の挿入端１２Ａに近づくように移動させた場合、この移動部材１４Ｂとシール材支持部１４Ａとの間で２つのシール材１３を押し潰して外側に拡径させる。そして、外側に拡径したシール材１３は、蓋ボルト穴１４１Ｃ，１４２Ｃ，１４３Ｃの内径よりも大きくなり、この結果、シール材１３は、蓋ボルト穴１４１Ｃ，１４２Ｃ，１４３Ｃの内面に押し付けられる。また、移動部材１４Ｂの他端は、押し出し操作を行うための半球状の操作片１４Ｂａが設けられている。
【００６８】
押付部１４の移動規制部１４Ｃは、移動部材１４Ｂが挿入部１２の挿入端１２Ａに近づく移動位置を維持するものである。移動規制部１４Ｃは、移動部材１４Ｂが貫通されていると共に、挿入部１２を蓋ボルト穴１４１Ｃ，１４２Ｃ，１４３Ｃに挿入した場合に蓋ボルト穴１４１Ｃ，１４２Ｃ，１４３Ｃの外側に突出する突出端１２Ｂに設けられている。移動規制部１４Ｃは、移動部材１４Ｂにおける挿入端１２Ａ側への押し出し操作に応じ、移動部材１４Ｂが挿入端１２Ａに近づく移動位置を維持するロック状態（図８および図９参照）と、移動部材１４Ｂが挿入端１２Ａに近づく移動位置の維持を解除する解除状態（図７参照）とを切り替えるオルタネイト式のラッチ機構を有する。なお、オルタネイト式のラッチ機構は、図には明示しないが、ハートカム状式方式や、回転カム方式や、ラチェットカム方式などがあり、各図において、矩形状の外型で示している。従って、移動部材１４Ｂの操作片１４Ｂａを押操作し、移動規制部１４Ｃのラッチ機構が解除状態となった場合、図７に示すように、シール材１３の弾性力により移動部材１４Ｂが挿入部１２の挿入端１２Ａ（シール材支持部１４Ａ）から遠ざかるため、シール材１３は、内側に縮径する。一方、移動部材１４Ｂの操作片１４Ｂａを押操作し、移動規制部１４Ｃのラッチ機構がロック状態となった場合、図８および図９に示すように、移動部材１４Ｂがシール材１３の弾性力に抗して挿入部１２の挿入端１２Ａ（シール材支持部１４Ａ）に近づくため、相互の間でシール材１３を押し潰して外側に拡径させる。
【００６９】
蓋ボルト穴プラグ１１は、このような構成によりシール材１３を蓋ボルト穴１４１Ｃ，１４２Ｃ，１４３Ｃの内面に押し付けることで、蓋ボルト穴１４１Ｃ，１４２Ｃ，１４３Ｃの内部への水の浸入を防止する防水機能を有している。
【００７０】
ところで、図８では、内蓋である一次蓋１３１を第一段部１４１の第一座面部１４１Ｂに取り付けるためにボルト１５１が螺合される第一蓋ボルト穴１４１Ｃに対し、蓋ボルト穴プラグ１１を取り付けた状態を示している。上述したように、一次蓋１３１は、水中において胴部１１２に配置され、水中から引き上げられた後にボルト１５１により取り付けられる。従って、第一蓋ボルト穴１４１Ｃに取り付ける蓋ボルト穴プラグ１１は、取り付けた後に一次蓋１３１を第一座面部１４１Ｂに配置できるように、挿入部１２、シール材１３、および押付部１４の全体が一次蓋１３１の貫通穴１３１Ｅに挿入可能に構成されている。しかも、第一蓋ボルト穴１４１Ｃに取り付ける蓋ボルト穴プラグ１１は、一次蓋１３１を第一座面部１４１Ｂに配置した後に第一蓋ボルト穴１４１Ｃから取り外せるように、挿入部１２の突出端１２Ｂ（移動規制部１４Ｃ）が貫通穴１３１Ｅから突出する長さに挿入部１２の長さ寸法が設定されている。つまり、挿入部１２は、第一蓋ボルト穴１４１Ｃの外側に延出する長さ寸法Ｌ１が、一次蓋１３１の貫通穴１３１Ｅの長さ寸法Ｌ２よりも大きく形成されている。長さ寸法Ｌ１は、移動部材１４Ｂが挿入部１２の挿入端１２Ａに近づく位置に移動した場合の一端から上側までの寸法としてもよい。
【００７１】
一方、図９では、外蓋である二次蓋１３２を第二段部１４２の第一座面部１４２Ｂに取り付けるためにボルト１５２が螺合される第二蓋ボルト穴１４２Ｃ、または外蓋である三次蓋１３３を第三段部１４３の第一座面部１４３Ｂに取り付けるためにボルト１５３が螺合される第三蓋ボルト穴１４３Ｃに対し、蓋ボルト穴プラグ１１を取り付けた状態を示している。上述したように、二次蓋１３２や三次蓋１３３は、水中から引き上げられた後に胴部１１２に配置され、ボルト１５２やボルト１５３により取り付けられる。従って、第二蓋ボルト穴１４２Ｃや第三蓋ボルト穴１４３Ｃに取り付ける蓋ボルト穴プラグ１１は、挿入部１２、シール材１３、および押付部１４の全体が貫通穴１３２Ｅや貫通穴１３３Ｅに挿入可能に構成される制約はない。しかも、第二蓋ボルト穴１４２Ｃや第三蓋ボルト穴１４３Ｃに取り付ける蓋ボルト穴プラグ１１は、上記長さ寸法Ｌ１に対応する寸法Ｌ３が、貫通穴１３２Ｅ，１３３Ｅの長さ寸法Ｌ４に対して制約はなく、小さくてもよい。
【００７２】
図１０は、本実施形態に係る蓋ボルト穴プラグの他の例の側面図である。図１１は、図１０に示す蓋ボルト穴プラグの使用状態の側面図である。図１２は、図１０に示す蓋ボルト穴プラグの変形例の側面図である。
【００７３】
図１０〜図１２に示す蓋ボルト穴プラグ２１は、キャスク１１１に放射性物質を収納する際に、胴部１１２を水中に沈めた場合の各蓋ボルト穴１４１Ｃ，１４２Ｃ，１４３Ｃの防水のために、各蓋ボルト穴１４１Ｃ，１４２Ｃ，１４３Ｃへの水の浸入を防止するためのものである。この蓋ボルト穴プラグ２１は、図１０および図１１に示すように、挿入部２２と、シール材２３と、押付部２４と、を備える。
【００７４】
挿入部２２は、棒状に構成されて蓋ボルト穴１４１Ｃ，１４２Ｃ，１４３Ｃに挿入可能に設けられている。
【００７５】
シール材２３は、挿入部２２に設けられている。シール材２３は、挿入部２２が蓋ボルト穴１４１Ｃ，１４２Ｃ，１４３Ｃに挿入される部分である挿入端２２Ａに設けられている。シール材２３は、円環状に形成されその内部に挿入部２２を刺し通すように配置されることで、挿入部２２の挿入端２２Ａにおける外周部に沿って設けられている。本実施形態において、シール材２３は、２つ配置され、図１０に示すように、挿入部２２の棒状の延在方向において相互の外周部が接触し、中央側が離れた形状とされている。シール材２３は、高分子材料としてのエチレン・プロピレン・ジエンゴムや、ニトリルゴムや、シリコン系ゴムなどで形成される。
【００７６】
押付部２４は、シール材２３を蓋ボルト穴１４１Ｃ，１４２Ｃ，１４３Ｃの内面に押し付けるものである。具体的に、押付部２４は、シール材支持部２４Ａと、移動部材２４Ｂと、移動規制部２４Ｃと、を備えている。
【００７７】
押付部２４のシール材支持部２４Ａは、挿入部２２を蓋ボルト穴１４１Ｃ，１４２Ｃ，１４３Ｃに挿入するための挿入端２２Ａに設けられている。シール材支持部２４Ａは、挿入部２２における棒状の延在方向であって蓋ボルト穴１４１Ｃ，１４２Ｃ，１４３Ｃに挿入する挿入方向（図中Ｘ’方向）に沿って延びる挿入部２２の中心線ＣＬに対し、当該中心線ＣＬを中心とした放射方向に突出するように円盤状に形成されている。なお、Ｘ’方向は、蓋ボルト穴１４１Ｃ，１４２Ｃ，１４３Ｃの奥行き方向に相当する。また、シール材支持部２４Ａは、円盤状に限らず、図には明示しないが中心線ＣＬを中心とした放射方向に突出する複数の突起として形成されていてもよい。上述したシール材２３は、このシール材支持部２４Ａに掛かることで、挿入部２２の挿入端２２Ａにおける外周部に沿って設けられる。
【００７８】
押付部２４の移動部材２４Ｂは、挿入部２２の挿入方向に延在する筒状に形成され、その筒内に挿入部２２を挿入可能に設けられ、当該挿入方向に移動可能に設けられている。上述したシール材２３は、移動部材２４Ｂの一端と、シール材支持部２４Ａとの間に配置される。従って、図１１および図１２に示すように、移動部材２４Ｂを、挿入部２２の挿入端２２Ａに近づくように移動させた場合、この移動部材２４Ｂとシール材支持部２４Ａとの間で２つのシール材２３を押し潰して外側に拡径させる。そして、外側に拡径したシール材２３は、蓋ボルト穴１４１Ｃ，１４２Ｃ，１４３Ｃの内径よりも大きくなり、この結果、シール材２３は、蓋ボルト穴１４１Ｃ，１４２Ｃ，１４３Ｃの内面に押し付けられる。
【００７９】
押付部２４の移動規制部２４Ｃは、移動部材２４Ｂが挿入部２２の挿入端２２Ａに近づく移動位置を維持するものである。移動規制部２４Ｃは、挿入部２２を蓋ボルト穴１４１Ｃ，１４２Ｃ，１４３Ｃに挿入した場合に蓋ボルト穴１４１Ｃ，１４２Ｃ，１４３Ｃの外側に突出する突出端２２Ｂに設けられている。移動規制部２４Ｃは、挿入部２２の挿入方向に延在する筒状に形成され、その筒内に挿入部２２を挿入可能に設けられている。移動規制部２４Ｃは、その内面に雌ネジ２４Ｃａが形成され、挿入部２２の突出端２２Ｂ部分に形成された雄ネジ２２Ｃに螺合し、挿入部２２を中心に回転可能に設けられて、その回転操作に応じ、挿入部２２の延在方向に移動する回転部材をなす。この移動規制部２４Ｃは、移動部材２４Ｂに当接するように設けられている。従って、回転操作された移動規制部２４Ｃが挿入端２２Ａから遠ざかることで、図１０に示すように、シール材２３の弾性力により移動部材２４Ｂが挿入部２２の挿入端２２Ａ（シール材支持部２４Ａ）から遠ざかるため、シール材２３は、内側に縮径する。一方、回転操作された移動規制部２４Ｃが挿入端２２Ａに近づくことで、図１１および図１２に示すように、移動部材２４Ｂがシール材２３の弾性力に抗して挿入部２２の挿入端２２Ａ（シール材支持部２４Ａ）に近づくため、相互の間でシール材２３を押し潰して外側に拡径させる。
【００８０】
蓋ボルト穴プラグ２１は、このような構成によりシール材２３を蓋ボルト穴１４１Ｃ，１４２Ｃ，１４３Ｃの内面に押し付けることで、蓋ボルト穴１４１Ｃ，１４２Ｃ，１４３Ｃの内部への水の浸入を防止する防水機能を有している。
【００８１】
ところで、図１１では、内蓋である一次蓋１３１を第一段部１４１の第一座面部１４１Ｂに取り付けるためにボルト１５１が螺合される第一蓋ボルト穴１４１Ｃに対し、蓋ボルト穴プラグ２１を取り付けた状態を示している。上述したように、一次蓋１３１は、水中において胴部１１２に配置され、水中から引き上げられた後にボルト１５１により取り付けられる。従って、第一蓋ボルト穴１４１Ｃに取り付ける蓋ボルト穴プラグ２１は、取り付けた後に一次蓋１３１を第一座面部１４１Ｂに配置できるように、挿入部２２、シール材２３、および押付部２４の全体が一次蓋１３１の貫通穴１３１Ｅに挿入可能に構成されている。しかも、第一蓋ボルト穴１４１Ｃに取り付ける蓋ボルト穴プラグ２１は、一次蓋１３１を第一座面部１４１Ｂに配置した後に第一蓋ボルト穴１４１Ｃから取り外せるように、挿入部２２の突出端２２Ｂ（移動規制部２４Ｃ）が貫通穴１３１Ｅから突出する長さに挿入部２２の長さ寸法が設定されている。つまり、挿入部２２は、第一蓋ボルト穴１４１Ｃの外側に延出する長さ寸法Ｌ１が、一次蓋１３１の貫通穴１３１Ｅの長さ寸法Ｌ２よりも大きく形成されている。長さ寸法Ｌ１は、移動規制部２４Ｃが挿入部２２の挿入端２２Ａに近づく位置に移動した場合の一端から上側までの寸法としてもよい。
【００８２】
一方、図１２では、外蓋である二次蓋１３２を第二段部１４２の第一座面部１４２Ｂに取り付けるためにボルト１５２が螺合される第二蓋ボルト穴１４２Ｃ、または外蓋である三次蓋１３３を第三段部１４３の第一座面部１４３Ｂに取り付けるためにボルト１５３が螺合される第三蓋ボルト穴１４３Ｃに対し、蓋ボルト穴プラグ２１を取り付けた状態を示している。上述したように、二次蓋１３２や三次蓋１３３は、水中から引き上げられた後に胴部１１２に配置され、ボルト１５２やボルト１５３により取り付けられる。従って、第二蓋ボルト穴１４２Ｃや第三蓋ボルト穴１４３Ｃに取り付ける蓋ボルト穴プラグ２１は、挿入部２２、シール材２３、および押付部２４の全体が貫通穴１３２Ｅや貫通穴１３３Ｅに挿入可能に構成される制約はない。しかも、第二蓋ボルト穴１４２Ｃや第三蓋ボルト穴１４３Ｃに取り付ける蓋ボルト穴プラグ２１は、上記長さ寸法Ｌ１に対応する寸法Ｌ３が、貫通穴１３２Ｅ，１３３Ｅの長さ寸法Ｌ４に対して制約はなく、小さくてもよい。
【００８３】
図１３は、本実施形態に係る蓋ボルト穴プラグを用いた放射性物質収納方法の工程図である。図１４は、本実施形態に係る蓋ボルト穴プラグを用いた放射性物質収納方法の他の例の側面図である。なお、図１３および図１４においては、上述した蓋ボルト穴プラグ１を用いた放射性物質収納方法を示しているが、蓋ボルト穴プラグ１１，２１を用いてもよい。
【００８４】
まず、プールの外で、キャスク１１１の胴部１１２における第一蓋ボルト穴１４１Ｃおよび第二蓋ボルト穴１４２Ｃや第三蓋ボルト穴１４３Ｃに蓋ボルト穴プラグ１を取り付ける（図５および図６参照）。
【００８５】
次に、図１３（Ａ）に示すように、胴部１１２をプールの水中に沈める。
【００８６】
次に、プールの水中で胴部１１２に放射性物質を収納する。次に、図１３（Ｂ）に示すように、プールの水中で胴部１１２に対して一次蓋１３１を配置する。
【００８７】
次に、胴部１１２をプールから引き上げる。ここで、水位を一次蓋１３１よりも下となるように胴部１１２内の水を吸引する。
【００８８】
次に、図１３（Ｃ）に示すように、蓋ボルト穴プラグ１を取り外す。ここで、第二蓋ボルト穴１４２Ｃや第三蓋ボルト穴１４３Ｃに取り付けてある蓋ボルト穴プラグ１も同様に取り外す。その後、胴部１１２内を水抜きする。
【００８９】
次に、図１３（Ｄ）に示すように、一次蓋１３１をボルト１５１で締めて固定する。その後は、一次蓋１３１の内側である胴部１１２内を真空乾燥し、不活性ガスを充填する。そして、二次蓋１３２および三次蓋１３３をボルト１５２，１５３で締めして固定する。
【００９０】
なお、プールの外でキャスク１１１の胴部１１２における第一蓋ボルト穴１４１Ｃに蓋ボルト穴プラグ１を取り付ける際、図１４に示すように、第一蓋ボルト穴１４１Ｃの任意に選択した複数カ所（周上の約等間隔の４カ所など）に、蓋ボルト穴プラグ１よりも長い寸法で第一蓋ボルト穴１４１Ｃから延出する案内ピン１０を取り付けてもよい。案内ピン１０は、第一蓋ボルト穴１４１Ｃから延出する延出に向かって先細りに形成されている。また、案内ピン１０は、第一蓋ボルト穴１４１Ｃに螺合される雄ネジ１０Ａを有している。また、案内ピン１０は、第一蓋ボルト穴１４１Ｃに取り付けられた際に、第一蓋ボルト穴１４１Ｃの内面に当接する円環状のシール材１０Ｂが周囲に配置されている。そして、プールの水中で胴部１１２に対して一次蓋１３１を配置する際、案内ピン１０が最初に貫通穴１３１Ｅに挿入され一次蓋１３１の配置の案内をする。そして、案内ピン１０は蓋ボルト穴プラグ１を取り外す工程において共に取り外す。
【００９１】
また、各蓋ボルト穴１４１Ｃ，１４２Ｃ，１４３Ｃは、その開口部の内面に凹凸を有さず滑らかであって雌ネジ部分よりも大径の開口周面１４１Ｃａ，１４２Ｃａ，１４３Ｃａを形成し、胴部１１２における各蓋ボルト穴１４１Ｃ，１４２Ｃ，１４３Ｃに蓋ボルト穴プラグ１，１１，２１を取り付ける工程において、開口周面１４１Ｃａ，１４２Ｃａ，１４３Ｃａに蓋ボルト穴プラグ１，１１，２１のシール材３，１３，２３を配置する。即ち、シール材３，１３，２３は、凹凸を有さず滑らかな開口周面１４１Ｃａ，１４２Ｃａ，１４３Ｃａに拡径して当接する。
【００９２】
ところで、図１５は、本実施形態に係る蓋ボルト穴プラグの他の例の側面図である。図１６は、図１５に示す蓋ボルト穴プラグの作用を表す側面図である。なお、図１５および図１６においては、上述した蓋ボルト穴プラグ１を基本構成としているが、蓋ボルト穴プラグ１１，２１を基本構成として用いてもよい。
【００９３】
図１５および図１６に示す蓋ボルト穴プラグ１では、挿入部２は、その挿入端２Ａに拭取部材５を有する。拭取部材５は、本実施形態ではシール材支持部４Ａの先端に取り付けられ、蓋ボルト穴プラグ１を第一蓋ボルト穴１４１Ｃの内面や、一次蓋１３１の貫通穴１３１Ｅの内面に接触することができるように、円盤状に形成されている。拭取部材５は、水分を吸収することのできる材質により形成されている。この拭取部材５は、蓋ボルト穴プラグ１を取り外す際に、第一蓋ボルト穴１４１Ｃの開口部や一次蓋１３１の貫通穴１３１Ｅに残留した水分を拭き取る。なお、図１６に示すように、第一蓋ボルト穴１４１Ｃよりも一次蓋１３１の貫通穴１３１Ｅの内径が大きい場合、拭取部材５は、第一蓋ボルト穴１４１Ｃの内面および一次蓋１３１の貫通穴１３１Ｅの内面に接触できるように、径方向外側に膨出可能に弾性を有していることが好ましい。
【００９４】
また、図１７は、本実施形態に係る蓋ボルト穴プラグの他の例の平面図である。図１８は、図１７に示す蓋ボルト穴プラグの側面図である。なお、図１７および図１８においては、上述した蓋ボルト穴プラグ１１を基本構成としているが、蓋ボルト穴プラグ２１を基本構成として用いてもよい。
【００９５】
図１７および図１８に示す蓋ボルト穴プラグ１１は、外蓋ボルト穴である第二蓋ボルト穴１４２Ｃや第三蓋ボルト穴１４３Ｃに挿入されるもので、隣接する複数の外蓋ボルト穴に取り付けられる蓋ボルト穴プラグ１１の複数個を連結する連結部６を有する。連結部６は、図１７および図１８では、各蓋ボルト穴プラグ１１の移動部材１４Ｂや移動規制部１４Ｃを連結する第一連結部６Ａと、操作片１４Ｂａに代えて移動部材１４Ｂを連結する第二連結部６Ｂと、を有している。その他、各蓋ボルト穴プラグ１１の移動規制部１４Ｃを連結するものであってもよい。なお、図には明示しないが、蓋ボルト穴プラグ２１に適用される連結部は、移動部材２４Ｂを連結するものとする。従って、連結部６により連結された各蓋ボルト穴プラグ１１は、隣接する複数の外蓋ボルト穴に対してまとめて取り付けられる。
【００９６】
図１９は、本実施形態に係る蓋ボルト穴プラグの他の例の側面図である。なお、図１９においては、上述した蓋ボルト穴プラグ１を基本構成としているが、蓋ボルト穴プラグ１１，２１を基本構成として用いてもよい。
【００９７】
図１９に示す蓋ボルト穴プラグ１では、挿入部２の挿入端２Ａから延在して設けられた基部７を有する。基部７は、第一蓋ボルト穴１４１Ｃの内面に添いつつ第一蓋ボルト穴１４１Ｃの奥部に至り挿入されるものである。本実施形態では、基部７は、シール材支持部４Ａの先端に取り付けられ、挿入部２に形成された中空部２Ｃの内部に挿入される芯部７Ａを有している。芯部７Ａは、挿入部２を補強する。そして、基部７は、第一蓋ボルト穴１４１Ｃの奥部に至り挿入された位置で、蓋ボルト穴プラグ１を安定して設置させ、かつシール材３を開口周面１４１Ｃａに接触する位置に配置する。
【００９８】
上述したように、本実施形態の蓋ボルト穴プラグ１（１１，２１）は、上部に開口部１２２が形成され下部が底部１２３で閉塞された胴部１１２と、胴部１１２の開口部１２２を閉塞する態様で開口部１２２に形成された蓋ボルト穴１４１Ｃ，１４２Ｃ，１４３Ｃにボルト１５１，１５２，１５３を締め付けて固定される蓋部１３１，１３２，１３３と、を有する放射性物質収納容器としてのキャスク１１１について、胴部１１２に放射性物質を収納する際に蓋ボルト穴１４１Ｃ，１４２Ｃ，１４３Ｃの防水を行うため、蓋ボルト穴１４１Ｃ，１４２Ｃ，１４３Ｃ内に挿入される挿入部２（１２，２２）と、挿入部２（１２，２２）が蓋ボルト穴１４１Ｃ，１４２Ｃ，１４３Ｃ内に挿入される部分の外周部に沿って設けられたシール材３（１３，２３）と、蓋ボルト穴１４１Ｃ，１４２Ｃ，１４３Ｃの雌ネジ部に係わらずにシール材３（１３，２３）を蓋ボルト穴１４１Ｃ，１４２Ｃ，１４３Ｃの内面に押し付ける押付部４（１４，２４）と、を備える。
【００９９】
この蓋ボルト穴プラグ１（１１，２１）によれば、蓋ボルト穴１４１Ｃ，１４２Ｃ，１４３Ｃの雌ネジ部に係わらずにシール材３（１３，２３）を蓋ボルト穴１４１Ｃ，１４２Ｃ，１４３Ｃの内面に押し付ける押付部４（１４，２４）を備えることで、防水機能が短時間で得られるため、キャスク１１１の蓋ボルト穴１４１Ｃ，１４２Ｃ，１４３Ｃの防水を実施したり撤去したりする作業を容易に行うことができる。
【０１００】
また、本実施形態の蓋ボルト穴プラグ１（１１，２１）では、押付部４（１４，２４）は、挿入部２（１２，２２）の挿入端２Ａ（１２Ａ，２２Ａ）に設けられてシール材３（１３，２３）を支持するシール材支持部４Ａ（１４Ａ，２４Ａ）と、挿入部２（１２，２２）に対して挿入部２（１２，２２）の挿入方向に沿って移動可能に設けられ、挿入端２Ａ（１２Ａ，２２Ａ）に近づく移動においてシール材支持部４Ａ（１４Ａ，２４Ａ）との間でシール材３（１３，２３）を外側に拡径させる移動部材４Ｂ（１４Ｂ，２４Ｂ）と、移動部材４Ｂ（１４Ｂ，２４Ｂ）が挿入端２Ａ（１２Ａ，２２Ａ）に近づく移動位置を維持する移動規制部４Ｃ（１４Ｃ，２４Ｃ）と、を備える。
【０１０１】
この蓋ボルト穴プラグ１（１１，２１）によれば、防水機能が短時間で得られる作用が実現でき、キャスク１１１の蓋ボルト穴１４１Ｃ，１４２Ｃ，１４３Ｃの防水を実施したり撤去したりする作業を容易に行うことができる。
【０１０２】
また、本実施形態の蓋ボルト穴プラグ１では、移動規制部４Ｃは、挿入部２が蓋ボルト穴１４１Ｃ，１４２Ｃ，１４３Ｃから延出する部分に設けられて移動部材４Ｂを挿入端２Ａ側に押し出すカム部４Ｃｂ，４Ｃｃを有する。
【０１０３】
この蓋ボルト穴プラグ１によれば、カム部４Ｃｂ，４Ｃｃを有することで、移動部材４Ｂが挿入端２Ａに近づく移動位置を維持する作用を実現することができる。
【０１０４】
また、本実施形態の蓋ボルト穴プラグ１１では、移動規制部１４Ｃは、移動部材１４Ｂにおける挿入端１２Ａ側への押し出し操作に応じ、移動部材１４Ｂが挿入端１２Ａに近づく移動位置を維持するロック状態と、移動部材１４Ｂが挿入端１２Ａに近づく移動位置の維持を解除する解除状態とを切り替えるオルタネイト式のラッチ機構を有する。
【０１０５】
この蓋ボルト穴プラグ１１によれば、ロック状態と解除状態との切り替えを容易に行うことができ、キャスク１１１の蓋ボルト穴１４１Ｃ，１４２Ｃ，１４３Ｃの防水を実施したり撤去したりする作業を容易に行う効果を顕著に得ることができる。
【０１０６】
また、本実施形態の蓋ボルト穴プラグ２１では、移動規制部２４Ｃは、螺合により挿入部２２を中心に回転可能に設けられて、回転操作により移動部材２４Ｂを挿入端２２Ａ側に押し出す回転部材をなす。
【０１０７】
この蓋ボルト穴プラグ２１によれば、回転操作により移動部材２４Ｂを挿入端２２Ａ側に押し出すことで、移動部材２４Ｂが挿入端２２Ａに近づく移動位置を維持する作用を実現することができる。
【０１０８】
また、本実施形態の蓋ボルト穴プラグ１（１１，２１）では、挿入部２（１２，２２）は、その挿入端２Ａ（１２Ａ，２２Ａ）に拭取部材５を有する。
【０１０９】
この蓋ボルト穴プラグ１（１１，２１）によれば、蓋ボルト穴プラグ１（１１，２１）を取り外す際に、拭取部材５により、蓋ボルト穴１４１Ｃ，１４２Ｃ，１４３Ｃの開口部や蓋部１３１，１３２，１３３の貫通穴１３１Ｅ，１３２Ｅ，１３３Ｅに残留した水分を拭き取ることができる。
【０１１０】
また、本実施形態の蓋ボルト穴プラグ１（１１，２１）では、挿入部２（１２，２２）の挿入端２Ａ（１２Ａ，２２Ａ）から延在して設けられて蓋ボルト穴１４１Ｃ，１４２Ｃ，１４３Ｃの内面に添いつつ蓋ボルト穴１４１Ｃ，１４２Ｃ，１４３Ｃの奥部に至り挿入される基部７を有する。
【０１１１】
この蓋ボルト穴プラグ１（１１，２１）によれば、基部７により、蓋ボルト穴１４１Ｃ，１４２Ｃ，１４３Ｃに安定して設置でき、かつシール材３（１３，２３）を開口周面１４１Ｃａ，１４２Ｃａ，１４３Ｃａに接触する位置に配置することができる。
【０１１２】
また、本実施形態の蓋ボルト穴プラグ１（１１，２１）では、蓋部は、胴部１１２の開口部１２２を閉塞する内蓋である一次蓋１３１と、一次蓋１３１の外側の空間を閉塞する外蓋である二次蓋１３２や三次蓋１３３とを有し、かつ一次蓋１３１および二次蓋１３２や三次蓋１３３にボルト１５１，１５２，１５３を貫通する貫通穴１３１Ｅ，１３２Ｅ，１３３Ｅが複数設けられており、挿入部２（１２，２２）、シール材３（１３，２３）、および押付部４（１４，２４）が、一次蓋１３１の貫通穴１３１Ｅに挿通可能に形成され、かつ挿入部２（１２，２２）は、蓋ボルト穴１４１Ｃ，１４２Ｃ，１４３Ｃの外側に延出する長さ寸法Ｌ１が一次蓋１３１の貫通穴１３１Ｅの長さ寸法Ｌ２よりも大きく形成されている。
【０１１３】
この蓋ボルト穴プラグ１（１１，２１）によれば、一次蓋１３１は、プールの水中で胴部１１２に配置されるため、挿入部２（１２，２２）、シール材３（１３，２３）、および押付部４（１４，２４）が、一次蓋１３１の貫通穴１３１Ｅに挿通可能に形成されていることで、これらの構成に干渉せず一次蓋１３１を配置することができる。しかも、挿入部２（１２，２２）は、第一蓋ボルト穴１４１Ｃの外側に延出する長さ寸法Ｌ１が一次蓋１３１の貫通穴１３１Ｅの長さ寸法Ｌ２よりも大きく形成されているため、プールの水中から胴部１１２を引き上げた後、一次蓋１３１の貫通穴１３１Ｅからの取り出しを容易に行うことができる。
【０１１４】
また、蓋ボルト穴プラグ１（１１，２１）では、蓋部は、胴部１１２の開口部１２２を閉塞する内蓋である一次蓋１３１と、一次蓋１３１の外側の空間を閉塞する外蓋である二次蓋１３２や三次蓋１３３とを有し、胴部１１２は、一次蓋１３１をボルト１５１を締め付けて固定するための複数の第一蓋ボルト穴１４１Ｃと、二次蓋１３２や三次蓋１３３をボルト１５２，１５３を締め付けて固定するための複数の第二蓋ボルト穴１４２Ｃや第三蓋ボルト穴１４３Ｃと、を有しており、第二蓋ボルト穴１４２Ｃや第三蓋ボルト穴１４３Ｃに用いられる複数個を連結する連結部６を有する。
【０１１５】
この蓋ボルト穴プラグ１（１１，２１）によれば、連結部６により連結されることで、複数の第二蓋ボルト穴１４２Ｃや第三蓋ボルト穴１４３Ｃに対してまとめて取り付けることができる。
【０１１６】
本実施形態の放射性物質収納方法は、上部に開口部１２２が形成され下部が底部１２３で閉塞された胴部１１２と、胴部１１２の開口部１２２を閉塞する態様で開口部１２２に形成された第一蓋ボルト穴１４１Ｃにボルト１５１を締め付けて固定される一次蓋１３１と、一次蓋１３１の外側の空間を閉塞する態様で開口部１２２に形成された第二蓋ボルト穴１４２Ｃや第三蓋ボルト穴１４３Ｃにボルト１５２，１５３を締め付けて固定される二次蓋１３２や三次蓋１３３と、を有する放射性物質収納容器としてのキャスク１１１について、当該キャスク１１１に放射性物質を収納する方法において、プールの外で胴部１１２における第一蓋ボルト穴１４１Ｃおよび第二蓋ボルト穴１４２Ｃや第三蓋ボルト穴１４３Ｃに蓋ボルト穴プラグ１（１１，２１）を取り付ける工程と、胴部１１２をプールの水中に沈める工程と、プールの水中で胴部１１２に放射性物質を収納する工程と、プールの水中で胴部１１２に対して一次蓋１３１を配置する工程と、胴部１１２をプールから引き上げる工程と、蓋ボルト穴プラグ１（１１，２１）を取り外す工程と、胴部１１２内を水抜きする工程と、一次蓋１３１をボルト締めして固定する工程と、一次蓋１３１の内側である胴部１１２内を真空乾燥し、不活性ガスを充填する工程と、二次蓋１３２または三次蓋１３３をボルト締めして固定する工程と、を含む。
【０１１７】
この放射性物質収納方法によれば、蓋ボルト穴プラグ１（１１，２１）において、蓋ボルト穴１４１Ｃ，１４２Ｃ，１４３Ｃの雌ネジ部に係わらずにシール材３（１３，２３）を蓋ボルト穴１４１Ｃ，１４２Ｃ，１４３Ｃの内面に押し付ける押付部４（１４，２４）を備えることで、防水機能が短時間で得られるため、キャスク１１１の蓋ボルト穴１４１Ｃ，１４２Ｃ，１４３Ｃの防水を実施したり撤去したりする作業を容易に行うことができる。この結果、放射性物質を収納する作業時間の短縮化を図ることができる。
【０１１８】
また、本実施形態の放射性物質収納方法では、胴部１１２における第一蓋ボルト穴１４１Ｃおよび第二蓋ボルト穴１４２Ｃまたは第三蓋ボルト穴１４３Ｃに蓋ボルト穴プラグ１（１１，２１）を取り付ける工程において、第一蓋ボルト穴１４１Ｃの任意に選択した複数カ所に蓋ボルト穴プラグ１（１１，２１）よりも長い寸法で第一蓋ボルト穴１４１Ｃから延出する案内ピン１０を取り付け、蓋ボルト穴プラグ１（１１，２１）を取り外す工程において、案内ピン１０を蓋ボルト穴プラグ１（１１，２１）と共に取り外す。
【０１１９】
この放射性物質収納方法によれば、案内ピン１０を用いることで、一次蓋１３１を胴部１１２に設置する作業において、一次蓋１３１の蓋ボルト穴プラグ１（１１，２１）への干渉を防ぐことができ、蓋ボルト穴プラグ１（１１，２１）による防水機能を維持することができる。
【０１２０】
また、本実施形態の放射性物質収納方法では、第一蓋ボルト穴１４１Ｃおよび第二蓋ボルト穴１４２Ｃまたは第三蓋ボルト穴１４３Ｃの開口部の内面に凹凸を有さず滑らかであって雌ネジ部よりも大径の開口周面１４１Ｃａ，１４２Ｃａ，１４３Ｃａを形成し、胴部１１２における第一蓋ボルト穴１４１Ｃおよび第二蓋ボルト穴１４２Ｃまたは第三蓋ボルト穴１４３Ｃに蓋ボルト穴プラグ１（１１，２１）を取り付ける工程において、開口周面１４１Ｃａ，１４２Ｃａ，１４３Ｃａに蓋ボルト穴プラグ１（１１，２１）のシール材３（１３，２３）を配置する。
【０１２１】
この放射性物質収納方法によれば、凹凸を有さず滑らかな開口周面１４１Ｃａ，１４２Ｃａ，１４３Ｃａにシール材３（１３，２３）を配置することで、蓋ボルト穴プラグ１（１１，２１）による防水機能を向上することができる。
【符号の説明】
【０１２２】
１  蓋ボルト穴プラグ
２  挿入部
２Ａ  挿入端
２Ｂ  突出端
２Ｃ  中空部
３  シール材
４  押付部
４Ａ  シール材支持部
４Ｂ  移動部材
４Ｃ  移動規制部
４Ｃａ  軸
４Ｃｂ  第一カム面（カム部）
４Ｃｃ  第二カム面（カム部）
４Ｃｄ  操作レバー
１１  蓋ボルト穴プラグ
１２  挿入部
１２Ａ  挿入端
１２Ｂ  突出端
１３  シール材
１４  押付部
１４Ａ  シール材支持部
１４Ｂ  移動部材
１４Ｂａ  操作片
１４Ｃ  移動規制部
２１  蓋ボルト穴プラグ
２２  挿入部
２２Ａ  挿入端
２２Ｂ  突出端
２２Ｃ  雄ネジ
２３  シール材
２４  押付部
２４Ａ  シール材支持部
２４Ｂ  移動部材
２４Ｃ  移動規制部
２４Ｃａ  雌ネジ
５  拭取部材
６  連結部
６Ａ  第一連結部
６Ｂ  第二連結部
７  基部
７Ａ  芯部
１０  案内ピン
１１１  キャスク（放射性物質収納容器）
１１２  胴部
１１３  蓋部
１２２  開口部
１２３  底部
１３１  一次蓋（内蓋）
１３１Ｅ  貫通穴
１３２  二次蓋（外蓋）
１３２Ｅ  貫通穴
１３３  三次蓋（外蓋）
１３３Ｅ  貫通穴
１４１Ｃ  第一蓋ボルト穴（内蓋ボルト穴）
１４１Ｃａ  開口周面
１４２Ｃ  第二蓋ボルト穴（外蓋ボルト穴）
１４２Ｃａ  開口周面
１４３Ｃ  第三蓋ボルト穴（外蓋ボルト穴）
１４３Ｃａ  開口周面
１５１，１５２，１５３  ボルト
【図１】
0006320337.tif 000002
【図２】
0006320337.tif 000003
【図３】
0006320337.tif 000004
【図４】
0006320337.tif 000005
【図５】
0006320337.tif 000006
【図６】
0006320337.tif 000007
【図７】
0006320337.tif 000008
【図８】
0006320337.tif 000009
【図９】
0006320337.tif 000010
【図１０】
0006320337.tif 000011
【図１１】
0006320337.tif 000012
【図１２】
0006320337.tif 000013
【図１３】
0006320337.tif 000014
【図１４】
0006320337.tif 000015
【図１５】
0006320337.tif 000016
【図１６】
0006320337.tif 000017
【図１７】
0006320337.tif 000018
【図１８】
0006320337.tif 000019
【図１９】
0006320337.tif 000020